(57)【要約】      （修正有）【課題】縦フレームに設けた操作レバーを引き上げることにより、前記牽引ロープが骨つぼを納骨棚上に安定した状態で送り込むことができる骨つぼ納具を提供する。【解決手段】外面の適宜位置に納骨室の開口部に係合する保持ピンを出没自在に取り付けた縦フレーム１２、および縦フレーム１２の下端からほぼ水平方向に延設した底フレーム１３とを備え、縦フレーム１２には適所に持手１５が、また底フレーム１３には吊り降ろす際に使用するロープ１６がそれぞれ配設されており、縦フレーム１２上部の側面には、左右一対の操作レバー１７が首振り可能に軸着されていて、操作レバー１７のそれぞれに連結した牽引ロープ１８が、底フレーム１３の前端に立設した左右一対の軸ピン１９に掛け回されており、骨つぼ２１を一対の軸ピン１９に差し渡された牽引ロープ１８が縦フレーム１２側の面を半円状に取り巻くようにして底フレーム１３に搭載するようにした。【選択図】図７
0003224663.tif 000002
【実用新案登録請求の範囲】
【請求項１】
所定幅を備えるとともに外面の適宜位置に納骨室の開口部に係合する保持ピンを出没自在に取り付けた縦フレーム、および該縦フレームの下端からほぼ水平方向に延設した底フレームとを備え、
前記縦フレームには適所に持手が、また前記底フレームには吊り降ろす際に使用するロープがそれぞれ配設されており、
前記縦フレーム上部の側面には、左右一対の操作レバーが首振り可能に軸着されていて、該操作レバーのそれぞれに連結した牽引ロープが、前記底フレームの前端に立設した左右一対の軸ピンに掛け回されており、
骨つぼを前記一対の軸ピンに差し渡された牽引ロープが縦フレーム側の面を半円状に取り巻くようにして前記底フレームに搭載するようにした骨つぼ納具であって、
前記底フレーム上に骨つぼを所定位置にセットした状態で、常態の下向き位置から前記操作レバーを引き上げるように首振りさせることにより、前記一対の軸ピンに差し渡された牽引ロープが前記骨つぼを納骨室の所定の納骨棚に送り込むようにしたことを特徴とする骨つぼ納具。
【請求項２】
前記縦フレームの下端からほぼ水平方向に延設した底フレームは、左右一対の軸ピンをその長さ方向の位置を異なるようにして立設されており、前記底フレーム上に搭載されて前記納骨棚に送り出す骨つぼの進行方向を蛇行させるようにしたことを特徴とする請求項１に記載の骨つぼ納具。
【請求項３】
前記操作レバーのそれぞれに連結した牽引ロープは、前記縦フレームと底フレームとの接点に回動可能に取り付けられたプーリを介して前記底フレームの前端に立設した左右一対の軸ピンに掛け回されていることを特徴とする請求項１または２に記載の骨つぼ納具。
【考案の詳細な説明】
【技術分野】
【０００１】
この考案は、墓石内納骨棚に骨つぼを納骨する際に使用する骨つぼ納具に関する。
【背景技術】
【０００２】
従来のこの種の納骨補助装置としては、特開２０１８−４８５３６号公報（特許文献１参照）のような、納骨棚の石材角部に密着して配置できる掛け金具を端部に有する第１ステー（水平ステー）と、納骨空間入口部を成す石材角部に密着して配置できる掛け金具を有する第２ステー（鉛直ステー）とを、各ステーに対し自在にスライド可能なる部材で構成したＬ字形フレームで連結し、骨つぼを載せたトレーを第１ステー（水平ステー）上でスライドできるようにした納骨補助装置が知られている。
【先行技術文献】
【特許文献】
【０００３】
【特許文献１】特開２０１８−４８５３６号公報
【考案の概要】
【考案が解決しようとする課題】
【０００４】
前記特開２０１８−４８５３６号公報においては、骨つぼを載せたトレーを納骨棚とほぼ同一面にトレーを配置でき、このトレー上に骨つぼを載せ、続いてトレーをスライドすることで骨つぼを納骨棚の縁まで移動できるようにしてある。その上で押し棒等を用いれば、作業者は比較的楽な体勢で骨つぼを納骨空間奥の所定位置に移動することができるようになっている。
しかしながら、トレー上の骨つぼを納骨棚の縁まで移動した状態で押し棒によって骨つぼを納骨棚の奥に移動しようとすると、納骨棚にスムーズに押し込めなかったりすることが考えられた。
【０００５】
そこでこの考案は、前記骨つぼを作業者の手や押し棒で納骨棚の上に押し込むのではなく、縦フレーム上部に設けた操作レバーに牽引ロープを連結し、該牽引ロープが底フレーム上にセットした骨つぼを取り巻くようにした状態で、前記操作レバーを引き上げることにより、前記牽引ロープが骨つぼを納骨棚上に安定した状態で送り込むことができるようにした骨つぼ納具を提供することを目的とする。
【課題を解決するための手段】
【０００６】
以上の課題を解決するためにこの考案の骨つぼ納具は、所定幅を備えるとともに外面の適宜位置に納骨室の開口部に係合する保持ピンを出没自在に取り付けた縦フレーム、および該縦フレームの下端からほぼ水平方向に延設した底フレームとを備え、
前記縦フレームには適所に持手が、また前記底フレームには吊り降ろす際に使用するロープがそれぞれ配設されており、
前記縦フレーム上部の側面には、左右一対の操作レバーが首振り可能に軸着されていて、該操作レバーのそれぞれに連結した牽引ロープが、前記底フレームの前端に立設した左右一対の軸ピンに掛け回されており、
骨つぼを前記一対の軸ピンに差し渡された牽引ロープが縦フレーム側の面を半円状に取り巻くようにして前記底フレームに搭載するようにした骨つぼ納具であって、
前記底フレーム上に骨つぼを所定位置にセットした状態で、常態の下向き位置から前記操作レバーを引き上げるように首振りさせることにより、前記一対の軸ピンに差し渡された牽引ロープが前記骨つぼを納骨室の所定の納骨棚に送り込むようにしたことを特徴とするものである。
【０００７】
この考案の骨つぼ納具において、前記縦フレームの下端からほぼ水平方向に延設した底フレームは、左右一対の軸ピンをその長さ方向の位置を異なるようにして立設されており、前記底フレーム上に搭載されて前記納骨棚に送り込む骨つぼの進行方向を蛇行させるようにしたことをも特徴とするものである。
【０００８】
この考案の骨つぼ納具において、前記操作レバーのそれぞれに連結した牽引ロープは、前記縦フレームと底フレームとの接点に回動可能に取り付けられたプーリを介して前記底フレームの前端に立設した左右一対の軸ピンに掛け回されていることをも特徴とするものである。
【考案の効果】
【０００９】
請求項１の考案によれば、縦フレーム上部に設けた操作レバーに牽引ロープを連結し、該牽引ロープが底フレーム上にセットした骨つぼを取り巻くようにした状態で、前記操作レバーを引き上げることにより、前記牽引ロープが骨つぼを納骨棚上に安定した状態で送り込むことができる。
したがって納骨行為者は、比較的楽な体勢で骨つぼを納骨空間奥の所定位置に移動することができるようになり、納骨行為が安定的に行えるのである。
【００１０】
請求項２の考案によれば、前記底フレームには左右一対の軸ピンをその長さ方向の位置を異なるようにして立設してあり、前記底フレーム上に搭載されて前記納骨棚に送り込む骨つぼの進行方向を蛇行させるようにしたため、前記底フレームの幅を極限まで狭くすることができ、納骨室の開口部が狭くても骨つぼ納具を問題なく吊り降ろすことができる。
【００１１】
請求項３の考案によれば、前記操作レバーのそれぞれに連結した牽引ロープは、前記縦フレームと底フレームとの接点に回動可能に取り付けられたプーリを介して前記底フレームの前端に立設した左右一対の軸ピンに掛け回したため、前記骨つぼを納骨棚上を水平方向に送り出すことができ、納骨棚に骨つぼをスムーズに送り込むことができる。
【図面の簡単な説明】
【００１２】
【図１】この考案の骨つぼ納具の実施形態を示し、骨つぼをセットする前の状態を示す概略正面図である。
【図２】その概略側面図である。
【図３】その概略平面図である。
【図４】骨つぼをセットした状態を示す概略正面図である。
【図５】その概略側面図である。
【図６】その概略平面図である。
【図７】その概略斜視図である。
【図８】この考案の骨つぼ納具を引き上げた状態を示す概略正面図である。
【図９】その概略側面図である。
【図１０】その概略斜視図である。
【図１１】この考案の骨つぼ納具を納骨室の開口部から吊り降ろされた状態を示す概略断面図である。
【図１２】この考案の骨つぼ納具を納骨室の開口部から吊り降ろし、中空部で９０度半転させた状態を示す概略断面図である。
【図１３】この考案の骨つぼ納具の操作の手順を示すものであり、操作レバーを水平方向に引き上げた状態の概略正面図である。
【図１４】その概略側面図である。
【図１５】その概略平面図である。
【図１６】その概略斜視図である。
【図１７】（ａ）は底フレーム上を骨つぼが送り出される状態の説明図であり、（ｂ）は骨つぼ位置が初期状態の概略平面図、（ｃ）は左右一対の軸ピン間で骨つぼが矢印方向に移動する状態の概略平面図、（ｄ）は骨つぼが矢印方向に移動する状態の概略平面図、（ｅ）は底フレーム上を骨つぼが送り出された状態の概略平面図である。
【図１８】この考案の骨つぼ納具を納骨室の開口部から吊り降ろして上段の納骨棚に向けてセットし、第１の骨つぼを納骨棚上にスライドさせた上、奥まで送り込もうとする状態を示す概略断面図である。
【図１９】この考案の骨つぼ納具を納骨室の開口部から吊り降ろして上段の納骨棚に向けてセットし、第２の骨つぼを納骨棚上にスライドさせて第１の骨つぼの手前に設置した状態を示す概略断面図である。
【図２０】この考案の骨つぼ納具を納骨室の開口部から吊り降ろして下段の納骨棚まで降下させた状態を示す概略断面図である。
【図２１】この考案の骨つぼ納具を納骨室の開口部から吊り降ろして下段の納骨棚に向けてセットし、第１の骨つぼを納骨棚上にスライドさせた上、奥まで送り込もうとする状態を示す概略断面図である。
【図２２】この考案の骨つぼ納具を納骨室の開口部から吊り降ろして下段の納骨棚に向けてセットし、第２の骨つぼを納骨棚上にスライドさせて第１の骨つぼの手前に設置した状態を示す概略断面図である。
【図２３】納骨棚上に骨つぼを２列に配置した状態を示す概略平面断面図である。
【考案を実施するための形態】
【００１３】
この考案の骨つぼ納具の一実施形態を、図１ないし図１６に基いて詳しく説明する。図１ないし図３は骨つぼをセットする前の状態を示し、図４ないし図７は骨つぼをセットした状態を示すものである。
すなわちこの実施例の「骨つぼ納具」１１は、図１ないし図７に示すように、所定幅を備えた縦フレーム１２、および該縦フレーム１２の下端からほぼ水平方向に延設した底フレーム１３とを備えている。
そして、前記縦フレーム１２には外面の適宜位置に納骨室２２の開口部２３に係合する保持ピン１４が出没自在に取り付けてある。さらに、前記縦フレーム１２を複数の横桟１２ａからなるはしご状としてその上部の横桟１２ａからなる持手１５が、また前記底フレーム１３には吊り降ろす際に使用するロープ１６がそれぞれ配設されている。
【００１４】
前記縦フレーム１２上部の側面には、左右一対の操作レバー１７，１７が横軸１７ａを介して首振り可能に軸着されていて、該操作レバー１７のそれぞれに連結した牽引ロープ１８が、前記底フレーム１３の前端に立設した左右一対の軸ピン１９，１９に掛け回されている。２０は、前記牽引ロープ１８を前記軸ピン１９，１９間において引き戻す方向において係合し、保持しておくための前記係止ピンである。
そして、予め前記係止ピン２０に係合して余裕を持たせておいた前記牽引ロープ１８によって骨つぼ２１の前記縦フレーム１２側の面を半円状に取り巻くようにして前記底フレーム１３に搭載する。
【００１５】
その上で、図８ないし図１０に示すように、前記「骨つぼ納具」１１は前記縦フレーム１２の上部の横桟１２ａからなる持手１５と、前記底フレーム１３に配設したロープ１６とで持ち上げることができるようになっている。
このようにして持上げた前記「骨つぼ納具」１１は、図１１に示すように納骨室２２の開口部２３から吊り降ろした上、図１２に示すように中空部で９０度半転した状態で保持する。その際、前記縦フレーム１２外面に保持ピン１４を突出させておいて、前記納骨室２２の開口部２３に保持ピン１４を係合して所定高さに保持し、納骨室２２の側面に接触させておく。この状態において前記「骨つぼ納具」１１は、前記底フレーム１３の前端が納骨室２２の納骨棚２４に搭載した状態で保持される。
【００１６】
図１３ないし図１６に、この実施例の「骨つぼ納具」１１の操作の手順を示す。
まず、前記操作レバー１７，１７は初期状態においては横軸１７ａを介して下向きに保持されている。その状態から図１３〜図１５に示すように前記操作レバー１７，１７を水平方向に持上げながら回すと、前記底フレーム１３上に搭載した骨つぼ２１が、前記牽引ロープ１８によって前記縦フレーム１２側の面を押され、前記納骨室２２の納骨棚２４に向けて送り込まれるのである。図において２６は、それぞれ前記縦フレーム１２の下に取り付けられたプーリであり、前記牽引ロープ１８を通してスムーズにスライドできるようにしたものである。
【００１７】
この実施例の「骨つぼ納具」１１の操作における前記牽引ロープ１８による骨つぼ２１の動作を図１７（ａ）〜（ｅ）に示す。
すなわち、図１７（ａ）は前記底フレーム１３上を骨つぼ２１が送り出される状態を示している。そして、図１７（ｂ）は骨つぼ２１の位置が初期状態を示し、図１７（ｃ）においては左右一対の軸ピン１９，１９間で骨つぼ２１が前進しながら矢印Ａ方向に蛇行している。さらに図１７（ｄ）においては骨つぼ２１が矢印Ｂ方向に蛇行している。その後図１７（ｅ）においては底フレーム上１３を骨つぼ２１が送り出されている。
その際、前記底フレーム１３には左右一対の軸ピン１９，１９をその長さ方向の位置を異なるようにして立設してあり、前記底フレーム１３上に搭載されて前記納骨棚２４に送り込む骨つぼ２１の進行方向を蛇行させるようにしたため、前記底フレーム１３の幅を極限まで狭くすることができ、納骨室２２の開口部２３が狭くてもこの実施例の「骨つぼ納具」１１を問題なく吊り降ろすことができるようになった。
【００１８】
この実施例の「骨つぼ納具」１１において、前記操作レバー１７，１７のそれぞれに連結した牽引ロープ１８は、前記縦フレーム１２の下に取り付けられたプーリ２６を介して前記底フレーム１３の前端に立設した左右一対の軸ピン１９，１９に掛け回されている。
したがって、前記骨つぼ２１を納骨棚２４上に向けて水平方向に送り出すことができ、納骨棚２４に骨つぼ２１をスムーズに送り込むことができる。
【００１９】
図１８ないし図２３は、この実施例の「骨つぼ納具」１１を納骨室２２の開口部２３から吊り降ろして各段の納骨棚２４へ収納する行為を説明するためのものである。
すなわち、図１８に示すように、前記「骨つぼ納具」１１を納骨室２２の開口部２３から吊り降ろして該開口部２３に保持ピン１４を係合することにより、前記「骨つぼ納具」１１を上段の納骨棚２４ａに向けてセットし、第１の骨つぼ２１ａを納骨棚２４ａ上でスライドさせた上、奥まで送り込む。２７はその際に使用する出し入れ具である。
図１９は前記「骨つぼ納具」１１を納骨室２２の開口部２３から吊り降ろして上段の納骨棚２４ａに向けてセットし、第２の骨つぼ２１ｂを納骨棚２４上にスライドさせて第１の骨つぼ２１ａの手前に設置した状態を示す。
【００２０】
図２０はこの実施例の「骨つぼ納具」１１を納骨室２２の開口部２３から吊り降ろして下段の納骨棚２４ｂまで降下させた状態を示す。その際、前記保持ピン１４は前記縦フレーム１２内に収納してある。
図２１はこの実施例の骨つぼ納具を納骨室２２の開口部２３から吊り降ろして中空部で９０度半転させた上、下段の納骨棚２４ｂに向けてセットした状態を示し、第１の骨つぼ２１ａを納骨棚２４ｂ上にスライドさせた上、奥まで送り込む。２７はその際に使用する出し入れ具である。
図２２はこの実施例の「骨つぼ納具」１１を納骨室２２の開口部２３から吊り降ろして下段の納骨棚２４ｂに向けてセットし、第２の骨つぼ２１ｂを納骨棚２４ｂ上にスライドさせて第１の骨つぼ２１ａの手前に設置した状態を示す。
図２３は、前記納骨室２２内の納骨棚２４上に、骨つぼ２１を２列に配置した状態を示すものである。
【産業上の利用可能性】
【００２１】
この考案の骨つぼ納具の趣旨に反しない限り、所定深さの地下空間や所定高さの容器内に骨つぼ以外の収納物を収納させる用途等にも使用できることはいうまでもない。
【符号の説明】
【００２２】
１１  骨つぼ納具
１２  縦フレーム
１２ａ  横桟
１３  底フレーム
１４  保持ピン
１５  持手
１６  ロープ
１７，１７  操作レバー
１７ａ  横軸
１８  牽引ロープ
１９，１９  軸ピン
２０  係止ピン
２１  骨つぼ
２１ａ  第１の骨つぼ
２１ｂ  第２の骨つぼ
２２  納骨室
２３  開口部
２４  納骨棚
２４ａ  上段の納骨棚
２４ｂ  下段の納骨棚
２６  プーリ
２７  出し入れ具
【図１】
0003224663.tif 000003
【図２】
0003224663.tif 000004
【図３】
0003224663.tif 000005
【図４】
0003224663.tif 000006
【図５】
0003224663.tif 000007
【図６】
0003224663.tif 000008
【図７】
0003224663.tif 000009
【図８】
0003224663.tif 000010
【図９】
0003224663.tif 000011
【図１０】
0003224663.tif 000012
【図１１】
0003224663.tif 000013
【図１２】
0003224663.tif 000014
【図１３】
0003224663.tif 000015
【図１４】
0003224663.tif 000016
【図１５】
0003224663.tif 000017
【図１６】
0003224663.tif 000018
【図１７】
0003224663.tif 000019
【図１８】
0003224663.tif 000020
【図１９】
0003224663.tif 000021
【図２０】
0003224663.tif 000022
【図２１】
0003224663.tif 000023
【図２２】
0003224663.tif 000024
【図２３】
0003224663.tif 000025